(57)【要約】【課題】従来の不具合を回避した使い勝手の良いタバコ型薬品吸入具を提供する。【解決手段】少なくとも３つの画成された空間を有し、各空間に水Ｗと、炭酸Ｃと、薬品Ｎを別々に含んだカプセル１００であって、使用者の指で潰すことによって前記カプセルが破れてカプセル内に含まれた水と炭酸Ｃが炭酸ガスに変化すると共に、薬品が炭酸ガスに含まれるようになったカプセルと、カプセルを複数個直列に並べた状態でカプセルの周囲に巻かれたシート状フィルターと２００、カプセルに巻かれたシート状フィルターの一方の端部に備わり、シート状フィルターの内側に空気を導入し、かつ内側から外部への空気導出を阻止する逆止弁３００と、シート状フィルターの他方の端部に備わった吸引フィルター４００と、逆止弁、シート状フィルター、吸引フィルターの周囲に巻かれた紙材５００を有している。【選択図】図１
2010035663.tif 000002
【特許請求の範囲】
【請求項１】
少なくとも３つの画成された空間を有し、各空間に水と、炭酸と、薬品を別々に含んだカプセルであって、使用者の指で潰すことによって前記カプセルが破れて当該カプセル内に含まれた水と炭酸が炭酸ガスに変化すると共に、前記薬品が当該炭酸ガスに含まれるようになったカプセルと、
前記カプセルを複数個直列に並べた状態で当該カプセルの周囲に巻かれたシート状フィルターと、
前記カプセルに巻かれたシート状フィルターの一方の端部に備わり、当該カプセルに巻かれたシート状フィルターの内側に空気を導入すると共に、内側から外部への空気導出を阻止する逆止弁と、
前記カプセルに巻かれたシート状フィルターの他方の端部に備わった吸引フィルターと、
前記逆止弁、シート状フィルター、吸引フィルターの周囲に巻かれた紙材と、を有することを特徴とするタバコ型薬品吸入具。
【請求項２】
前記複数のカプセルの表面にはそれぞれ別々の着色剤が付着し、前記カプセルを前記紙材の上から指で潰すことで、当該カプセル毎に固有の色の着色剤が前記紙材に染み出して、前記複数のカプセルのうち指で潰したカプセルを外部から認識可能としたことを特徴とする、請求項１に記載のタバコ型薬品吸入具。
【請求項３】
前記紙材の前記吸引フィルターに巻かれた部分には、使用者による吸引フィルターの吸引時に前記シート状フィルター内部に外気を導入する空気導入孔が形成されていることを特徴とする、請求項１又は請求項２に記載のタバコ型薬品吸入具。
【請求項４】
前記薬品はニコチンであることを特徴とする、請求項１乃至請求項３の何れかに記載のタバコ型薬品吸入具。
【請求項５】
前記薬品は、服用者が一日に服用する量の定められた薬品であることを特徴とする、請求項１乃至請求項３の何れかに記載のタバコ型薬品吸入具。
【請求項６】
前記薬品は、口臭予防の薬品又は眠気覚ましのカフェインであることを特徴とする、請求項１乃至請求項３の何れかに記載のタバコ型薬品吸入具。
【発明の詳細な説明】
【技術分野】
【０００１】
本発明は、外部に薬品を漏らすことなく、様々な薬品を吸入できるタバコ型薬品吸入具に関する。
【背景技術】
【０００２】
近年の嫌煙権の広がりにより、喫煙者の周囲にタバコの煙を拡散させないための方策として、一つの携帯ボンベに二酸化炭素を入れると共に別のボンベにニコチンを入れて、これらを喫煙者が交互に吸って外部に煙を漏らさないような対策がとられている。また、このような構成の対策とは異なり、例えば特許文献１に記載のような外部に煙を漏らさず受動喫煙の弊害を防止する喫煙パイプも知られている。
【０００３】
また、このような嫌煙権の広がりに対する対策とは別に、口臭予防の錠剤を多数入れた容器からこの錠剤を必要に応じて取り出して必要に応じてこれを口に含むようなことも広く行われている。同様に眠気覚ましのカフェインを多く含んだガムや錠剤を多数入れた容器からこのガムや錠剤を必要に応じて取り出して口に含むようなことも広く行われている。
【０００４】
更には、例えば花粉症の薬や降圧剤の薬など、一日に飲む規定量が決められておりかつこれを毎日服用しなければならないような薬も多く出回っている。（例えば、特許文献１参照）。
【特許文献１】特開１１−１０３８４４号公報（段落（０００１）、（０００８）、図１）
【発明の開示】
【発明が解決しようとする課題】
【０００５】
上述したニコチンは喫煙者の気分安定を図る上では広い意味では薬品と言える。しかしながら、上述したように外部に煙を出さずにニコチンを吸引する場合は、二つのボンベを常に形態して交互にその内容物を吸わなければならず、使い勝手が悪い。また、一日にどの程度のニコチン量を摂取したかを一目で把握できず、ニコチンをついつい摂取し過ぎてしまうことが多い。
【０００６】
また、口臭予防や眠気覚ましの錠剤も広い意味では薬品と言える。しかしながら、口臭予防や眠気覚ましの錠剤も容器から錠数をいちいち数えながら取り出して口に含まなければならず、使い勝手が悪い。
【０００７】
また、その他の上述した花粉症の薬や降圧剤の薬など、一日に服用する数が決まっていて毎日服用しなければならない薬については、服用した数をついつい忘れてしまい、一日の規定量を服用しなかったり、規定量以上の薬を一日に服用してしまったりすることがある。
【０００８】
本発明の目的は、このような不都合を解決した使い勝手の良いタバコ型薬品吸入具を提供することである。
【課題を解決するための手段】
【０００９】
上述の課題を解決するために、本発明の請求項１に記載のタバコ型薬品吸入具は、
少なくとも３つの画成された空間を有し、各空間に水と、炭酸と、薬品を別々に含んだカプセルであって、使用者の指で潰すことによって前記カプセルが破れて当該カプセル内に含まれた水と炭酸が炭酸ガスに変化すると共に、前記薬品が当該炭酸ガスに含まれるようになったカプセルと、
前記カプセルを複数個直列に並べた状態で当該カプセルの周囲に巻かれたシート状フィルターと、
前記カプセルに巻かれたシート状フィルターの一方の端部に備わり、当該カプセルに巻かれたシート状フィルターの内側に空気を導入すると共に、内側から外部への空気導出を阻止する逆止弁と、
前記カプセルに巻かれたシート状フィルターの他方の端部に備わった吸引フィルターと、
前記逆止弁、シート状フィルター、吸引フィルターの周囲に巻かれた紙材と、を有することを特徴としている。
【００１０】
本発明の請求項１に係るタバコ型薬品吸入具がこのような構成を有することで、カプセルを指で潰すことで所定量の薬品を所定量の炭酸ガスに含ませ、規定の濃度の薬品を含んだ炭酸ガスを効率的に発生させることができる。
【００１１】
そして、紙材で巻かれた逆止弁とシート状フィルターと吸引フィルターによって薬品を含んだ炭酸ガスを外部に漏らすことなく吸引して服用することができる。
【００１２】
なお、カプセルはシート状フィルターを介して直列に並べた状態で配置されているので、カプセルを潰すことによってその部分のシート状フィルターと紙材も潰れるので、目で見て又は指で触ることで潰したカプセルの個数を外部から瞬時に把握できる。これよって、一日に摂取した薬品の量を一目で確認することができる。
【００１３】
また、本発明の請求項２に係るタバコ型薬品吸入具は、請求項１に記載のタバコ型薬品吸入具において、
前記複数のカプセルの表面にはそれぞれ別々の着色剤が付着し、前記カプセルを前記紙材の上から指で潰すことで、当該カプセル毎に固有の色の着色剤が前記紙材に染み出して、前記複数のカプセルのうち指で潰したカプセルを外部から認識可能としたことを特徴としている。
【００１４】
本発明の請求項２に係るタバコ型薬品吸入具の各カプセル毎にこのように互いに異なる色の着色剤が付着していることで、カプセルを潰すごとに紙材のこれに対応する領域が異なる色の着色剤で染まり、一日にどの程度の薬品を服用したかをより確認し易くする。
【００１５】
また、本発明の請求項３に係るタバコ型薬品吸入具は、請求項１又は請求項２に記載のタバコ型薬品吸入具において、
前記紙材の前記吸引フィルターに巻かれた部分には、使用者による吸引フィルターの吸引時に前記シート状フィルター内部に外気を導入する空気導入孔が形成されていることを特徴している。
【００１６】
本発明の請求項３に係るタバコ型薬品吸入具がこのような空気導入孔を設けることで、炭酸ガスに空気を積極的に混ぜて薬品の炭酸ガスに含まれる濃度を必要に応じて低くなるように調整することができる。
【００１７】
また、本発明の請求項４に係るタバコ型薬品吸入具は、請求項１乃至請求項３の何れかに記載のタバコ型薬品吸入具において、前記薬品はニコチンであることを特徴とする。
【００１８】
本発明の請求項４に係るタバコ型薬品吸入具の薬品がニコチンの場合、通常の煙草のように煙を外部に漏らさないようにすることができ、いわゆる受動喫煙を防止し、嫌煙権の高まりに配慮しながら使用者の気分安定を図るようにすることができる。
【００１９】
また、本発明の請求項５に係るタバコ型薬品吸入具は、請求項１乃至請求項３の何れかに記載のタバコ型薬品吸入具において、前記薬品は、服用者が一日に服用する量の定められた薬品であることを特徴とする。
【００２０】
本発明の請求項５に係るタバコ型薬品吸入具の薬品が一日に必要な服用量の定まった薬品であって毎日服用しなければならない場合に、薬品の服用し忘れや服用のし過ぎを防止し、薬品の服用量を正確に管理できる。
【００２１】
また、本発明の請求項６に係るタバコ型薬品吸入具は、請求項１乃至請求項３の何れかに記載のタバコ型薬品吸入具において、前記薬品は、口臭予防の薬品又は眠気覚ましのカフェインであることを特徴としている。
【００２２】
従来のように口臭予防や眠気覚ましの錠剤を容器からその錠数をいちいち数えながら取り出して口に含む必要がなく、使い勝手が良くなる。
【発明の効果】
【００２３】
本発明によると、本発明の課題で指摘した不都合を解決した使い勝手の良いタバコ型薬品吸入具を提供することができる。
【発明を実施するための最良の形態】
【００２４】
以下、本発明の一実施形態にかかるタバコ型薬品吸入具について図面に基づいて説明する。図１は、本発明の一実施形態に係るタバコ型薬品吸入具をその内部を透過的に示した使用状態図である。また、図２は、図１に示したタバコ型薬品吸入具の展開図である。また、図３は、図１に示したタバコ型薬品吸入具のカプセル及び隣接するカプセル間を繋ぐ連結部の断面図である。なお、図１ではタバコ型薬品吸入具を使用者が吸引した状態を示しているが、タバコ型薬品吸入具の寸法については、発明の理解の容易化のために大きめに描いている。
【００２５】
本発明の一実施形態に係るタバコ型薬品吸入具１は、図１及び図２に示すように複数（本実施形態では一例として１１個）のカプセル１００（１０１〜１１１）と、カプセル１００の周囲に巻かれたシート状フィルター２００と、シート状フィルターの一方の端部に備わった逆止弁３００と、シート状フィルター２００の他方の端部に備わった吸引フィルター４００と、逆止弁３００、シート状フィルター２００、吸引フィルター４００の周囲に巻かれた紙材５００とをを有している。
【００２６】
カプセル１００は、本実施形態の場合、図３に示すように３つの画成された空間１００ａ（１０１ａ〜１０３ａ）、１００ｂ（１０１ｂ〜１０３ｂ）、１００ｃ（１０１ｃ〜１０３ｃ）を有し、各空間に水Ｗと、炭酸Ｃと、ニコチンＮを別々に所定量ずつ含んでいる。この場合のニコチンＮは、炭酸ガス内に容易に含まれる程度の微粒の粉末であるが、炭酸ガスに含まれることができれば、本実施形態とは異なり液体のニコチンであっても良い。
【００２７】
また、カプセル１００の材質は、使用者の指で潰すことによってカプセルが破られてこのカプセル内の３つの画成された空間のうち２つの空間に含まれた水と炭酸が炭酸ガスに変化すると共に、残りの１つの空間に含まれたニコチンが炭酸ガス内に混ざるような材質でできている。
【００２８】
複数のカプセル１００は、図３に示すように隣接するカプセル間を繋ぐ連結部１２０で連結され、所定間隔隔てて直列に並ぶように配置され、この複数のカプセルの周囲をシート状フィルター２００で巻いている。
【００２９】
シート状フィルター２００は、図２に示すようにタバコのフィルターに使われるアセテートを薄くシート状にしたもので、シート状フィルター２００の内部の気体がシート状フィルター外部に漏れ出さないようになっている。
【００３０】
逆止弁３００は、カプセル１００に巻かれたシート状フィルター２００の一方の端部２０１に備わり、カプセル１００に巻かれたシート状フィルター２００の内側に空気を導入すると共に、内側から外部への空気導出を阻止する役目を果たしている。
【００３１】
吸引フィルター４００は、カプセル１００に巻かれたシート状フィルター２００の他方の端部２０２に備わり、いわゆる煙草の吸い口に設けられた吸引フィルター４００と同等のアセテートでできた円筒状のフィルターである。
【００３２】
紙材５００は、逆止弁３００、シート状フィルター２００、吸引フィルター４００の周囲に巻かれ、いわゆる煙草に使用される紙材と同等の紙材が用いられている。
【００３３】
また、複数のカプセル１００の表面にはここでは詳細には示さないが、それぞれ別々の着色剤が塗布され、カプセル１００を紙材５００の上から指で潰すことで、カプセル毎に固有の色の着色剤がシート状フィルター２００を介して紙材５００に染み出すようになっている（図４における使用後のタバコ型薬品吸入具の紙材５００の表面参照）。これによって、複数のカプセル１００のうち、指で潰したカプセルを外部から容易に認識可能としている。
【００３４】
なお、上述の実施形態に係るタバコ型薬品吸入具の具体的使用形態として、図４に示すようないわゆる煙草の収納箱のように本実施形態に係るタバコ型薬品吸入具を複数本収容できる収容箱６００を用意し、この収容箱６００に予め未使用のタバコ型薬品吸入具１を収容しておくと共に、全てのカプセル１００及びこれに対応するシート状フィルター２００と紙材５００が潰れた使用済みのタバコ型薬品吸入具１’を再び収容するようになっている。
【００３５】
本発明に係るタバコ型薬品吸入具１は火を使わないので、使用済みのタバコ型薬品吸入具１’を再び収容して、全てのタバコ型薬品吸入具を使い切った状態で収容箱６００ごと捨てるようにすることで、従来の煙草で問題となっていたポイ捨ての問題を確実に解決できるようにする。
【００３６】
続いて、本発明の一実施形態に係るタバコ型薬品吸入具１の作用について説明する。使用者は、上述したように図４に示すタバコ型薬品吸入具１を複数収容するいわゆる煙草のパッケージ包装箱のような形態の収容箱６００からタバコ型薬品吸入具１を１本取り出す。
【００３７】
そして、タバコ型薬品吸入具１のカプセル１００を図１に示すように逆止弁側から１つずつ潰して炭酸Ｃと水Ｗから炭酸ガスを生成すると共に、ニコチンＮの微粒子をこの炭酸ガスに含ませる。そして、吸引フィルター４００を介してこの炭酸ガスに含まれたニコチンＮを吸い込むことで、逆止弁３００からシート状フィルター内に導入された空気（図１における矢印Ａ参照）と共に炭酸ガスに含まれたニコチンＮがシート状フィルター２００を介して外部に漏れることなく吸引フィルター４００を介して使用者の人体に吸引される。これによって規定量のニコチンＮを摂取して使用者の気分を安定させることができる。この際、通常の煙草のように煙が外部に漏れることはないので、使用者は吸う場所を気にせずこのタバコ型薬品吸入具１を使用できる。
【００３８】
そして、一定時間経って再びニコチンＮを摂取したくなった場合は、前回潰したカプセルの隣のカプセル（例えば図１におけるカプセル１０１の場合は、隣のカプセル１０２）を潰してニコチンＮを摂取する。なお、各カプセル１００には互いに異なる色の着色剤が塗布され、カプセル１００を潰すことで、この固有の着色剤がシート状フィルター２００を介して紙材５００に染み出すようになっているので、一日の間にどの程度のニコチンＮを摂取したかを一目で確認することができる。
【００３９】
そして、全てのカプセル１００を潰して使用済みとなったタバコ型薬品吸入具１’を収容箱６００に再び収容することで、最終的に収容箱６００に全ての使用済みのタバコ型薬品吸入具１’を収容した状態で纏めてこれを廃棄することができる。
【００４０】
図４は、本発明に係るタバコ型薬品吸入具１を、これを複数本収容する収容箱と共に示す斜視図である。使用済みとなったタバコ型薬品吸入具１’を再びこの収容箱に入れるようにすることで、従来の煙草のように火を使わずにニコチンを摂取できるので、上述したように近年社会問題となっている煙草のポイ捨ての問題を解決できると共に、使用者が携帯型灰皿等を持ち歩く必要もなくなる。
【００４１】
上述した実施形態にかかるニコチンは使用者の気分が安定を図る点で広い意味での薬品として本発明は取り扱ったが、このようなニコチンを本発明において薬品として用いる代わりに、口臭予防の薬剤や眠気覚ましのカフェインを用いても良い。本発明に係るタバコ型薬品吸入具の薬品にこのような口臭予防の薬剤や眠気覚ましのカフェインを用いることで、従来のように口臭予防の錠剤や眠気覚ましのカフェインを含んだガムを容器からいちいち錠数を数えながら取り出して口に含む必要がなくなり、使い勝手が格段に向上する。
【００４２】
より詳細には、薬品が口臭予防の薬剤の場合、近年の食生活の多様化に対応することができ、使い勝手が良い。また、薬品が眠気覚ましのカフェインの場合、例えば自動車の運転中に運転者のシャツの胸ポケットにタバコ型薬品吸入具を数本入れておくことで、これを簡単に取り出してカフェインを吸引することができる。即ち、従来のように眠気覚ましのカフェインを容器から取り出したり包装フィルムを剥がして口に含んだりする必要がないので、服用時に運転に支障をきたさず安全運転上好ましい。
【００４３】
特に、カフェイン服用の際、前回服用した部分のカプセル及びこれに対応するシート状フィルターと紙材とが潰れているので、使用者はこの部分を目で直接確認することなく指の感触でその際服用する眠気覚ましのカフェインを含んだカプセルを探ることができる。これによって、脇見運転を防止し安全運転上好ましいと言える。
【００４４】
また、薬品は、例えば花粉症の薬や抗アレルギー薬や降圧剤など、服用者が毎日服用しなければならずかつ一日に服用する量の定められた薬品であっても良い。本発明に係るタバコ型薬品吸入具の薬品にこのような一日に必要な摂取量の定まった薬品であって毎日服用しなければならない薬品を用いることで、薬品の服用し忘れや服用のし過ぎを防止し、正しい薬品の服用量を管理できる。
【００４５】
続いて、上述した実施形態の各種変形例について説明する。なお、上述の実施形態と同等の構成については対応する符号を付して詳細な説明を省略する。
【００４６】
図５は、上述の実施形態にかかる第１変形例を示す分解図である。この第１変形例に係るタバコ型薬品吸入具２の場合、隣接するカプセル同士が連結部で繋がる代わりに市販の風邪薬や鼻炎カプセルに用いられるようなＰＰＴシート７００が用いられている。このＰＰＴシート７００は、プラスチックの薬品収容部７１０とアルミ箔のカバー７２０とで各カプセル１００を囲繞しており、シート状フィルター２００を介して紙材５００の上から指でプラスチックの薬品収容部７１０を押し潰すことでカプセル１００が潰れ、炭酸Ｃと水Ｗが混ざって炭酸ガスが発生すると共にと、この炭酸ガスに薬品が混ざる。そして、使用者が上述の実施形態と同様に吸引することで、逆止弁３００からシート状フィルター内部に導入された空気Ａ（図１参照）と共に、炭酸ガスに含まれる薬品が吸引フィルター４００を介して吸引される。
【００４７】
即ち、本変形例に係るタバコ型薬品吸入具２がこのような構造を有していても、上述した実施形態と同等の作用を発揮する。なお、この場合の薬品も上述の実施形態と同様に様々な薬品が用いられる。
【００４８】
続いて、第２変形例に係るタバコ型薬品吸入具３について説明する。このタバコ型薬品吸入具３は、図６に示すように紙材５００の吸引フィルター４００を巻いた部分に、使用者による吸引フィルター４００の吸引時にシート状フィルター内部に外部から気体を導入する空気導入孔５１０（５１１，５１２，・・・）が複数形成されている。この場合、紙材５００の空気導入孔５１０に対応する吸引フィルター４００の外周部にも一定の深さを有する空気導入穴４１０（４１１，４１２，・・・）が複数形成されているのが好ましい。このような紙材５００の空気導入孔５１０と吸引フィルター４００の空気導入穴４１０を設けることで、薬品吸引時に炭酸ガス中の薬品の濃度の調整を行うことが可能となる。
【００４９】
以上説明したように、本発明に係るタバコ型薬品吸入具によると、カプセルを指で潰すことで所定量の薬品を所定量の炭酸ガスに含ませ、規定の濃度の薬品を含んだ炭酸ガスを効率的に発生させることができる。そして、紙材で巻かれた逆止弁とシート状フィルターと吸引フィルターによって薬品を含んだ炭酸ガスを外部に漏らすことなく吸引して服用することができる。
【００５０】
なお、カプセルはシート状フィルターを介して直列に並べた状態で配置されているので、カプセルを潰すことによってその部分のシート状フィルターと紙材も潰れるので、目で見て又は指で触ることで潰したカプセルの個数を外部から瞬時に把握できる。これよって、一日に摂取した薬品の量を一目で確認することができる。
【００５１】
好ましくは、タバコ型薬品吸入具の各カプセル毎に互いに異なる色の着色剤が付着しているのが良い。これによって、カプセルを潰すごとに紙材のこれに対応する領域が異なる色の着色剤で染まり、一日にどの程度の薬品を服用したかをより確認し易くする。
【００５２】
また、好ましくは、薬品はニコチンであるのが良い。薬品がニコチンの場合、通常の煙草のように煙を外部に漏らさないようにすることができ、いわゆる受動喫煙を防止し、嫌煙権の高まりに配慮しながら使用者の気分安定を図るようにすることができる。
【００５３】
また、好ましくは、薬品は、服用者が一日に服用する量の定められた薬品であるのが良い。薬品が一日に必要な服用量の定まった薬品であって毎日服用しなければならない場合に、薬品の服用し忘れや服用のし過ぎを防止し、薬品の服用量を正確に管理できる。
【００５４】
また、好ましくは、薬品は、口臭予防の薬品又は眠気覚ましのカフェインであるのが良い。従来のように口臭予防や眠気覚ましの錠剤を容器からその錠数をいちいち数えながら取り出して口に含む必要がなく、使い勝手が良くなる。
【００５５】
なお、以上説明した実施形態及びその変形例におけるカプセルの個数は例示的に示したもので、必ずしもこの個数に限定されるものでないことは言うまでもない。
【００５６】
また、上述したカプセルの内部構造は、本発明の作用を発揮し得る構造であれば図３に示すものに限定されるものではない。即ち、例えば３つの空間が直列に並んで各空間に炭酸、水、薬品が充填されたようなカプセルでも良く、３つの小球のカプセルにそれぞれ炭酸、水、薬品を充填させてこれを互いに結合させたような形状を有していても良い。
【図面の簡単な説明】
【００５７】
【図１】本発明の一実施形態に係るタバコ型薬品吸入具をその内部を透過的に示した使用状態図である。
【図２】図１に示したタバコ型薬品吸入具の展開図である。
【図３】図１に示したタバコ型薬品吸入具のカプセル及び隣接するカプセル間を繋ぐ連結部の断面図である。
【図４】本発明の一実施形態に係るタバコ型薬品吸入具を、これを複数収容する収容箱と共に示す斜視図である。
【図５】本発明の一実施形態に係るタバコ型薬品吸入具の第１変形例を示す斜視図である。
【図６】本発明の一実施形態に係るタバコ型薬品吸入具の第２変形例を示す斜視図である。
【符号の説明】
【００５８】
１，２，３    タバコ型薬品吸入具
１’    使用済みのタバコ型薬品吸入具
１００（１０１〜１１１）    カプセル
１００ａ（１０１ａ〜１０３ａ）    空間
１００ｂ（１０１ｂ〜１０３ｂ）    空間
１００ｃ（１０１ｃ〜１０３ｃ）    空間
１２０    連結部
２００    シート状フィルター
２０１    シート状フィルターの一方の端部
２０２    シート状フィルターの他方の端部
３００    逆止弁
４００    吸引フィルター
４１０（４１１，４１２，・・・）    空気導入穴
５００    紙材
５１０（５１１，５１２，・・・）    空気導入孔
６００    収容箱
７００    ＰＰＴシート
７１０    プラスチックの薬品収容部
７２０    アルミ箔のカバー
Ａ    空気
Ｃ    炭酸
Ｎ    ニコチン
Ｗ    水
【図１】
2010035663.tif 000003
【図２】
2010035663.tif 000004
【図３】
2010035663.tif 000005
【図４】
2010035663.tif 000006
【図５】
2010035663.tif 000007
【図６】
2010035663.tif 000008